(57)【要約】【課題】ユーザが記録開始を指示した時点からの映像や音声信号をディスク状記録媒体に確実に記録できるようにするとともに、記録音声にノイズが混入することを防止できるようにする。【解決手段】動画像信号と音声信号をディスク状記録媒体に記録する記録装置であって、前記ディスク状記録媒体に記録する動画像信号と音声信号をメモリに蓄積しておくとともに、前記メモリの記憶容量及び設定されている画質モードによって得られる蓄積可能時間に応じて、前記ディスク状記録媒体に信号を記録するための記録素子を移動開始位置から記録開始位置まで移動させる速度を決定するようにして、記録素子の移動に伴って発生するノイズをできるだけ減少させることができるようにする。【選択図】図１
2007299458.tif 000002
【特許請求の範囲】
【請求項１】
動画像信号と音声信号をディスク状記録媒体に記録する記録装置であって、
前記ディスク状記録媒体に記録する動画像信号と音声信号をメモリに蓄積しておくとともに、前記メモリの記憶容量及び設定されている画質モードによって得られる蓄積可能時間に応じて、前記ディスク状記録媒体に信号を記録するための記録素子を移動開始位置から記録開始位置まで移動させる速度を決定するようにしたことを特徴とする記録装置。
【請求項２】
動画像信号と音声信号を入力する入力手段と、
前記入力手段から入力された動画像信号と音声信号をメモリに蓄積する蓄積手段と、
前記メモリから読み出された動画像信号と音声信号とを、ディスク状記録媒体上を移動する記録素子により前記ディスク状記録媒体に記録する記録手段と、
前記動画像信号と音声信号を前記メモリに対して蓄積可能な時間を検出する検出手段と、
記録開始の指示に応じて、前記記録素子を前記ディスク状記録媒体上の記録開始位置まで移動させるとともに、前記記録素子の移動が完了した後に前記ディスク状記録媒体に対して前記動画像信号と音声信号の記録を開始するように前記記録手段を制御する制御手段とを備え、
前記制御手段は、前記検出手段により検出した蓄積可能時間に応じて前記記録素子の移動速度を決定することを特徴とする記録装置。
【請求項３】
前記制御手段は、記録開始指示が行われてから、前記蓄積可能時間が経過するまでの間に記録準備が完了するように、前記蓄積可能時間に応じて前記ディスク状記録媒体に対する記録準備動作を制御することを特徴とする請求項１に記載の記録装置。
【請求項４】
前記入力手段により入力された動画像信号の情報量を圧縮する圧縮手段と、前記圧縮された動画像信号の目標信号レートを設定する設定手段とを備え、
前記圧縮手段は前記目標信号レートに従って前記動画像信号の情報量を圧縮し、前記検出手段は前記メモリの記憶容量と前記目標信号レートとに基づいて前記蓄積可能時間を検出することを特徴とする請求項１に記載の記録装置。
【請求項５】
前記制御手段は、前記蓄積可能時間が長いほど前記記録素子の移動速度を遅くするよう前記記録手段を制御することを特徴とする請求項１〜４の何れか１項に記載の記録装置。
【請求項６】
動画像信号と音声信号を入力する入力手段と、
前記入力手段から入力された動画像信号と音声信号をメモリに蓄積する蓄積手段と、
前記メモリから読み出された動画像信号と音声信号を記録媒体に記録する記録手段と、
前記動画像信号と音声信号を前記メモリに対して蓄積可能な時間を検出する検出手段と、
記録開始の指示に応じて、前記記録媒体に対する記録準備を開始するとともに、前記記録準備が完了した後に前記記録媒体に対して前記動画像信号と音声信号の記録を開始するよう前記記録手段を制御する制御手段とを備え、
前記制御手段は、前記検出手段により検出された蓄積可能時間に応じて前記記録準備動作を制御することを特徴とする記録装置。
【請求項７】
前記制御手段は、前記記録開始指示の後、前記蓄積可能時間が経過するまでの間に前記記録準備が完了するように、前記蓄積可能時間に応じて前記記録準備動作を制御することを特徴とする請求項６に記載の記録装置。
【請求項８】
前記入力手段により入力された動画像信号の情報量を圧縮する圧縮手段と、前記圧縮された動画像信号の目標信号レートを設定する設定手段とを備え、
前記圧縮手段は前記目標信号レートに従って前記動画像信号の情報量を圧縮し、前記検出手段は前記メモリの記憶容量と前記設定手段により設定された目標信号レートとに基づいて前記蓄積可能時間を検出することを特徴とする請求項６に記載の記録装置。
【請求項９】
動画像信号と音声信号をディスク状記録媒体に記録する記録方法であって、
前記ディスク状記録媒体に記録する動画像信号と音声信号をメモリに蓄積しておくとともに、前記メモリの記憶容量及び設定されている画質モードによって得られる蓄積可能時間に応じて、前記ディスク状記録媒体に信号を記録するための記録素子を移動開始位置から記録開始位置まで移動させる速度を決定するようにしたことを特徴とする記録方法。
【請求項１０】
動画像信号と音声信号を入力する入力工程と、
前記入力工程から入力された動画像信号と音声信号をメモリに蓄積する蓄積工程と、
前記メモリから読み出された動画像信号と音声信号とを、ディスク状記録媒体上を移動する記録素子により前記ディスク状記録媒体に記録する記録工程と、
前記動画像信号と音声信号を前記メモリに対して蓄積可能な時間を検出する検出工程と、
記録開始の指示に応じて、前記記録素子を前記ディスク状記録媒体上の記録開始位置まで移動させるとともに、前記記録素子の移動が完了した後に前記ディスク状記録媒体に対して前記動画像信号と音声信号の記録を開始するように前記記録工程における記録動作を制御する制御工程とを備え、
前記制御工程は、前記検出工程において検出した蓄積可能時間に応じて前記記録素子の移動速度を決定することを特徴とする記録方法。
【請求項１１】
動画像信号と音声信号を入力する入力工程と、
前記入力工程から入力された動画像信号と音声信号をメモリに蓄積する蓄積工程と、
前記メモリから読み出された動画像信号と音声信号を記録媒体に記録する記録工程と、
前記動画像信号と音声信号を前記メモリに対して蓄積可能な時間を検出する検出工程と、
記録開始の指示に応じて、前記記録媒体に対する記録準備を開始するとともに、前記記録準備が完了した後に前記記録媒体に対して前記動画像信号と音声信号の記録を開始するよう前記記録工程における記録動作を制御する制御工程とを備え、
前記制御工程は、前記検出工程において検出された蓄積可能時間に応じて前記記録準備動作を制御することを特徴とする記録方法。
【請求項１２】
動画像信号と音声信号をディスク状記録媒体に記録する記録方法をコンピュータに実行させるプログラムであって、
前記ディスク状記録媒体に記録する動画像信号と音声信号をメモリに蓄積しておくとともに、前記メモリの記憶容量及び設定されている画質モードによって得られる蓄積可能時間に応じて、前記ディスク状記録媒体に信号を記録するための記録素子を移動開始位置から記録開始位置まで移動させる速度を決定するようにした記録方法をコンピュータに実行させることを特徴とするプログラム。
【請求項１３】
動画像信号と音声信号を入力する入力工程と、
前記入力工程から入力された動画像信号と音声信号をメモリに蓄積する蓄積工程と、
前記メモリから読み出された動画像信号と音声信号とを、ディスク状記録媒体上を移動する記録素子により前記ディスク状記録媒体に記録する記録工程と、
前記動画像信号と音声信号を前記メモリに対して蓄積可能な時間を検出する検出工程と、
記録開始の指示に応じて、前記記録素子を前記ディスク状記録媒体上の記録開始位置まで移動させるとともに、前記記録素子の移動が完了した後に前記ディスク状記録媒体に対して前記動画像信号と音声信号の記録を開始するように前記記録工程における記録動作を制御する制御工程とを備え、
前記制御工程は、前記検出工程において検出した蓄積可能時間に応じて前記記録素子の移動速度を決定する記録方法をコンピュータに実行させることを特徴とするプログラム。
【請求項１４】
動画像信号と音声信号を入力する入力工程と、
前記入力工程から入力された動画像信号と音声信号をメモリに蓄積する蓄積工程と、
前記メモリから読み出された動画像信号と音声信号を記録媒体に記録する記録工程と、
前記動画像信号と音声信号を前記メモリに対して蓄積可能な時間を検出する検出工程と、
記録開始の指示に応じて、前記記録媒体に対する記録準備を開始するとともに、前記記録準備が完了した後に前記記録媒体に対して前記動画像信号と音声信号の記録を開始するよう前記記録工程における記録動作を制御する制御工程とを備え、
前記制御工程は、前記検出工程において検出された蓄積可能時間に応じて前記記録準備動作を制御する記録方法をコンピュータに実行させることを特徴とするプログラム。
【請求項１５】
請求項１２〜１４の何れか１項に記載のプログラムを記録したことを特徴とするコンピュータ読み取り可能な記録媒体。
【発明の詳細な説明】
【技術分野】
【０００１】
本発明は記録装置及び記録方法に関し、特に、記録開始時にピックアップの位置を制御するために用いて好適な技術に関する。
【背景技術】
【０００２】
近年、撮影した画像データや音声データをＤＶＤなどの光ディスクに記録再生するディスクビデオカメラが登場している。こうしたディスクビデオカメラでは、ユーザから記録開始の指示があると、光ビームのピックアップを、ディスク上の記録開始トラックまでシークさせる。そして、シークが完了してピックアップが記録開始位置に移動すると、動画像データと音声データの記録を開始する。
【０００３】
ディスクビデオカメラでは、ディスクとピックアップの保護のため、通常、１回の撮影動作が終わる度にピックアップをホームポジションと呼ばれる所定の位置に移動させている。そのため、撮影を開始する度に、記録開始位置へピックアップを移動させるシーク動作が発生する。
【０００４】
ところで、記録開始の指示があると、ピックアップのシーク動作をできるだけ早く終わらせて記録を開始するようにしなければならない。そのためには、シーク用のモータを高速に移動させる必要がある。このように、モータを高速に移動させるときには大きなノイズが発生するので、記録した音声データにノイズが混入してしまうという問題が発生する。
【０００５】
そこで、特許文献１にて提案された「情報記録装置」では、音声の入力手段に音声が入力される前にシーク動作を終わらせて、サーボが安定した状態になってから音声データの取り込みを開始するようにしている。
【０００６】
【特許文献１】特開２００１−３５７５９８号公報
【発明の開示】
【発明が解決しようとする課題】
【０００７】
しかしながら、特許文献１では、サーボが安定するまで、動画像データ、音声データの取り込みを開始することができないので、ユーザが撮りたい場面の記録を逸してしまう可能性があった。
【０００８】
本発明は前述の問題点にかんがみ、ユーザが記録開始を指示した時点からの映像や音声信号をディスク状記録媒体に確実に記録できるようにするとともに、記録音声にノイズが混入することを防止できるようにすることを目的とする。
【課題を解決するための手段】
【０００９】
本発明の記録装置は、動画像信号と音声信号をディスク状記録媒体に記録する記録装置であって、前記ディスク状記録媒体に記録する動画像信号と音声信号をメモリに蓄積しておくとともに、前記メモリの記憶容量及び設定されている画質モードによって得られる蓄積可能時間に応じて、前記ディスク状記録媒体に信号を記録するための記録素子を移動開始位置から記録開始位置まで移動させる速度を決定するようにしたことを特徴とする。
また、本発明の記録装置の他の特徴とするところは、動画像信号と音声信号を入力する入力手段と、前記入力手段から入力された動画像信号と音声信号をメモリに蓄積する蓄積手段と、前記メモリから読み出された動画像信号と音声信号とを、ディスク状記録媒体上を移動する記録素子により前記ディスク状記録媒体に記録する記録手段と、前記動画像信号と音声信号を前記メモリに対して蓄積可能な時間を検出する検出手段と、記録開始の指示に応じて、前記記録素子を前記ディスク状記録媒体上の記録開始位置まで移動させるとともに、前記記録素子の移動が完了した後に前記ディスク状記録媒体に対して前記動画像信号と音声信号の記録を開始するように前記記録手段を制御する制御手段とを備え、前記制御手段は、前記検出手段により検出した蓄積可能時間に応じて前記記録素子の移動速度を決定することを特徴とする。
また、本発明の記録装置のその他の特徴とするところは、動画像信号と音声信号を入力する入力手段と、前記入力手段から入力された動画像信号と音声信号をメモリに蓄積する蓄積手段と、前記メモリから読み出された動画像信号と音声信号を記録媒体に記録する記録手段と、前記動画像信号と音声信号を前記メモリに対して蓄積可能な時間を検出する検出手段と、記録開始の指示に応じて、前記記録媒体に対する記録準備を開始するとともに、前記記録準備が完了した後に前記記録媒体に対して前記動画像信号と音声信号の記録を開始するよう前記記録手段を制御する制御手段とを備え、前記制御手段は、前記検出手段により検出された蓄積可能時間に応じて前記記録準備動作を制御することを特徴とする。
【００１０】
本発明の記録方法は、動画像信号と音声信号をディスク状記録媒体に記録する記録方法であって、前記ディスク状記録媒体に記録する動画像信号と音声信号をメモリに蓄積しておくとともに、前記メモリの記憶容量及び設定されている画質モードによって得られる蓄積可能時間に応じて、前記ディスク状記録媒体に信号を記録するための記録素子を移動開始位置から記録開始位置まで移動させる速度を決定するようにしたことを特徴とする。
また、本発明の記録方法の他の特徴とするところは、動画像信号と音声信号を入力する入力工程と、前記入力工程から入力された動画像信号と音声信号をメモリに蓄積する蓄積工程と、前記メモリから読み出された動画像信号と音声信号とを、ディスク状記録媒体上を移動する記録素子により前記ディスク状記録媒体に記録する記録工程と、前記動画像信号と音声信号を前記メモリに対して蓄積可能な時間を検出する検出工程と、記録開始の指示に応じて、前記記録素子を前記ディスク状記録媒体上の記録開始位置まで移動させるとともに、前記記録素子の移動が完了した後に前記ディスク状記録媒体に対して前記動画像信号と音声信号の記録を開始するように前記記録工程における記録動作を制御する制御工程とを備え、前記制御工程は、前記検出工程において検出した蓄積可能時間に応じて前記記録素子の移動速度を決定することを特徴とする。
また、本発明の記録方法のその他の特徴とするところは、動画像信号と音声信号を入力する入力工程と、前記入力工程から入力された動画像信号と音声信号をメモリに蓄積する蓄積工程と、前記メモリから読み出された動画像信号と音声信号を記録媒体に記録する記録工程と、前記動画像信号と音声信号を前記メモリに対して蓄積可能な時間を検出する検出工程と、記録開始の指示に応じて、前記記録媒体に対する記録準備を開始するとともに、前記記録準備が完了した後に前記記録媒体に対して前記動画像信号と音声信号の記録を開始するよう前記記録工程における記録動作を制御する制御工程とを備え、前記制御工程は、前記検出工程において検出された蓄積可能時間に応じて前記記録準備動作を制御することを特徴とする。
【００１１】
本発明のプログラムは、動画像信号と音声信号をディスク状記録媒体に記録する記録方法をコンピュータに実行させるプログラムであって、前記ディスク状記録媒体に記録する動画像信号と音声信号をメモリに蓄積しておくとともに、前記メモリの記憶容量及び設定されている画質モードによって得られる蓄積可能時間に応じて、前記ディスク状記録媒体に信号を記録するための記録素子を移動開始位置から記録開始位置まで移動させる速度を決定するようにした記録方法をコンピュータに実行させることを特徴とする。
また、本発明のプログラムの他の特徴とするところは、動画像信号と音声信号を入力する入力工程と、前記入力工程から入力された動画像信号と音声信号をメモリに蓄積する蓄積工程と、前記メモリから読み出された動画像信号と音声信号とを、ディスク状記録媒体上を移動する記録素子により前記ディスク状記録媒体に記録する記録工程と、前記動画像信号と音声信号を前記メモリに対して蓄積可能な時間を検出する検出工程と、記録開始の指示に応じて、前記記録素子を前記ディスク状記録媒体上の記録開始位置まで移動させるとともに、前記記録素子の移動が完了した後に前記ディスク状記録媒体に対して前記動画像信号と音声信号の記録を開始するように前記記録工程における記録動作を制御する制御工程とを備え、前記制御工程は、前記検出工程において検出した蓄積可能時間に応じて前記記録素子の移動速度を決定する記録方法をコンピュータに実行させることを特徴とする。
また、本発明のプログラムのその他の特徴とするところは、動画像信号と音声信号を入力する入力工程と、前記入力工程から入力された動画像信号と音声信号をメモリに蓄積する蓄積工程と、前記メモリから読み出された動画像信号と音声信号を記録媒体に記録する記録工程と、前記動画像信号と音声信号を前記メモリに対して蓄積可能な時間を検出する検出工程と、記録開始の指示に応じて、前記記録媒体に対する記録準備を開始するとともに、前記記録準備が完了した後に前記記録媒体に対して前記動画像信号と音声信号の記録を開始するよう前記記録工程における記録動作を制御する制御工程とを備え、前記制御工程は、前記検出工程において検出された蓄積可能時間に応じて前記記録準備動作を制御する記録方法をコンピュータに実行させることを特徴とする。
【発明の効果】
【００１２】
本発明によれば、記録されるデータをメモリに蓄積し、その蓄積する時間に基づいて、記録素子を記録開始位置までの移動速度を決定するようにしたので、前記記録素子を記録開始位置までゆっくりとシークすることができる。これにより、記録時のノイズの発生を最小限に抑えることが可能となり、記録媒体の音声データにノイズが記録されてしまうのを防ぐことができる。
また、記録されるデータをメモリに蓄積し、その蓄積する時間に基づいて、現在の記録速度を媒体の記録開始時の記録速度にゆっくりと移行するようにしたので、記録時のノイズの発生を最小限に抑えることが可能となり、記録媒体の音声データにノイズが記録されてしまうのを防ぐことができる。また、シーク速度を遅くできるので、消費電力の低減も可能である。
また、本発明の他の特徴によれば、動画像及び音声を符号化するのに必要な時間をメモリでの蓄積時間に含めるようにしたので、符号化を行う時は記録素子のシーク速度、及び記録速度をさらに遅くしたり、記録速度の変化分を小さくしたりすることができ、ノイズの低減を図ることができる。また、消費電力のさらなる低減も実現することができる。
【発明を実施するための最良の形態】
【００１３】
（第１の実施形態）
以下、本発明の実施形態について図１を用いて説明する。
図１の１０１はCCD等の撮像素子、１０２はカメラ信号処理回路、１０３は動画像符号化回路、１０４は多重化回路、１０５はメモリ、１０６は記録再生回路、１０７は記録媒体、１０８は音声情報を収集するマイクである。また、１０９は音声符号化回路、１１０は各ブロックを制御する制御回路、１１１は操作スイッチである。本実施形態では、記録媒体１０７としてＤＶＤなどの光ディスクを用いている。
【００１４】
ユーザが不図示のボタン等で記録開始を指示すると、操作スイッチ１１１から記録開始の指示の情報が制御回路１１０に入力される。制御回路１１０から記録開始の指示が各ブロックに与えられると、カメラ信号処理回路１０２は撮像素子１０１から供給されるデータから輝度、色（あるいはRGB）データを作成する。そして、カメラ信号処理を施して動画像符号化回路１０３に送出する。
【００１５】
動画像符号化回路１０３は、カメラ信号処理回路１０２から供給されるカメラ信号処理された画像データにＭＰＥＧ等の動画像符号化を行い、多重化回路１０４に送出する。このとき、本実施形態では、ユーザが任意に動画像のデータレート（画質）を設定可能としている。
【００１６】
例えば、本実施形態では、高画質、標準の二つの画質モード持ち、ユーザは操作スイッチ１１１を操作することで、これら二つのモードを切り替えることができる。動画像符号化回路１０３は、設定された画質モードに応じて、符号化動画像データの目標データレートを変更する。
【００１７】
前記操作スイッチ１１１から記録開始の指示の信号が入力されると、一方では、マイク１０８から出力される音声データが、音声符号化回路１０９に入力される。音声符号化回路１０９では、マイク１０８から入力された音声データにＡＣ３、ＭＰＥＧ−ＡＵＤＩＯ等の符号化処理を行い、符号化された音声データを多重化回路１０４に出力する。
【００１８】
多重化回路１０４は、動画像符号化回路１０３から供給される符号化された画像データと、音声符号化回路１０９から供給される符号化された音声データを多重化し、多重化データをメモリ１０５に送出する。
【００１９】
メモリ１０５は、多重化回路１０４から供給される多重化データを決められたデータ量だけ記憶する。ここで、メモリ１０５に記憶可能な動画像、音声データの時間Ｓｄ（秒）は、前述の画質モードによって変化する。
【００２０】
例えば、高画質モードにおける目標データレートを標準モードの２倍とした場合、標準モードにおいては、高画質モード時の約２倍の期間、動画像と音声データを蓄積することができる。記録再生回路１０６は記録開始からＳ秒後にメモリから読み出されるデータを記録用のデータに変調し、記録媒体１０７に記録し始める。
【００２１】
ここで、記録再生回路１０６が記録媒体１０７に記録を開始するまでの動作について、図２及び図３を用いて説明する。図２は、記録再生回路１０６の詳細な構成を示す図であり、図３は、本実施形態の記録再生装置の記録時の動作を示すフローチャートである。
図２の入力端子２０１はメモリ１０５からの入力端子である。２０２は記録回路、２０３はピックアップ（記録素子）、２０４は再生回路、２０５は記録再生制御回路、２０６はシーク制御回路、２０７はシークモーター等を含むシーク機構である。
【００２２】
また、２０８は回転制御回路、２０９はスピンドルモーターを含むスピンドル機構、２１０は制御回路１１０との間で授受する制御情報の入出力端子である。ここで、記録媒体１０７はＤＶＤ等のディスク状媒体である。
【００２３】
図３のステップＳ３１において、操作スイッチ１１１から記録開始情報が入力されると、ステップＳ３２に進み、制御回路１１０から記録開始の指示が記録再生制御回路２０５に入力される。記録再生制御回路２０５は、ピックアップが記録媒体１０７のどこの位置（アドレスＳＡ０）に在るか、あらかじめ記憶している。なお、アドレスＳＡ０を記憶していない場合は、ピックアップ２０３を介して再生データを記録媒体１０７から読み出して再生回路２０４に送出する（ステップＳ３３）。
【００２４】
再生回路２０４は、供給された再生データからピックアップ２０３の記録媒体１０７上のディスク位置（アドレスＳＡ０）を再生し（ステップＳ３４）、そのアドレスを記録再生制御回路２０５に供給する。
【００２５】
記録再生制御回路２０５は、制御回路１１０から記録媒体１０７上の記録すべき位置（アドレスＳＡ１）とメモリ１０５に蓄積される時間Ｓｄの情報とが供給される。なお、この蓄積可能時間Ｓｄは、メモリ１０５の記憶容量と設定されている画質モードとによって得られる。
【００２６】
記録再生制御回路２０５は、ピックアップの記録媒体１０７上の位置ＳＡ０と記録開始位置ＳＡ１からピックアップのシーク量ＳＫ１を算出する（ステップＳ３５）。算出されたシーク量ＳＫ１とメモリ１０５の記録データの蓄積時間Ｓｄとから、記録開始位置ＳＡ１までの移動速度Ｖｓを例えば、
Ｖｓ  ＝  ＳＫ１／Ｓｄ            ・・・（１）式
のように決定し（ステップＳ３６）、シーク制御回路２０６に移動速度の情報を送出する。
【００２７】
シーク制御回路２０６は、記録再生制御回路２０５から供給される移動速度に基づいて、シーク機構２０７を制御し、Ｓｄ秒後にピックアップ２０３が記録媒体１０７上の記録位置（アドレスＳＡ１）に移動するように制御する。また、制御回路１１０は記録開始時の記録速度Ｒｓ１を記録再生制御回路２０５に送出する。
【００２８】
記録再生制御回路２０５は、現在の記録速度Ｒｓ０と制御回路１１０から供給される記録開始時の記録速度Ｒｓ１とメモリ１０５に蓄積される時間Ｓｄとから、時間当たりの記録速度の変化分ｄＲｓを、例えば、
ｄＲｓ  ＝  （Ｒｓ１−Ｒｓ０）／Ｓｄ        ・・・（２）式
のように計算し（ステップＳ３７）、回転制御回路２０８に変化分の情報を送出する。
【００２９】
回転制御回路２０８は、記録再生制御回路２０５から供給される記録速度の変化分の情報に基づいて、記録開始の指示からＳｄ秒後に記録速度がＲｓ１になるようにスピンドル機構２０９を制御する（ステップＳ３８）。
【００３０】
以上、説明したようにして、制御回路１１０は操作スイッチ１１１から入力された記録開始指示のタイミングから記録動作を開始するように各ブロックを制御する。制御回路１１０は、前記多重化回路１０４で多重化されたデータをメモリ１０５にＳｄ秒分蓄積するように制御する。メモリ１０５は多重化されたデータをＳｄ秒間蓄積した後、最初に記録されるべき多重化データを記録再生回路１０６に送出する。
【００３１】
前記で説明したように、ピックアップ２０３は、Ｓｄ秒後には記録開始位置ＳＡ１に移動して記録準備ができているので、メモリ１０５から記録再生回路１０６に供給された多重化データは、記録回路２０２で記録用のデータに変調された後、ピックアップ２０３を介して記録媒体１０７に記録される。
【００３２】
以上、説明したように、記録されるデータをメモリ１０５で蓄積し、その蓄積する時間に基づいて、ピックアップ２０３を記録開始位置までゆっくりとシークすることで記録時のノイズの発生を防止することができる。これにより、記録媒体の音声データにノイズが記録されてしまうのを防ぐことができる。
【００３３】
また、記録されるデータをメモリ１０５で蓄積し、その蓄積する時間に基づいて、現在の記録速度を媒体の記録開始時の記録速度にゆっくりと移行するようにしたので、記録時のノイズの発生を防ぐことができ、記録媒体の音声データにノイズが記録されてしまうのを防ぐことができる。また、シーク速度を遅くすることができるので、消費電力を低減することも可能である。
【００３４】
また、メモリ１０５の蓄積時間は、動画像符号化回路１０３、音声符号化回路１０９で必要とする符号化時のメモリでの遅延時間を含めることも可能であり、その時はシークの速度はさらに遅くなり、ノイズの低減を更に図ることができる。また、消費電力のさらなる低減も可能となる。なお、前述の実施形態では、記録媒体として光ディスクを用いたが、これ以外にも、ＨＤＤなどのディスク媒体を用いることも可能である。
【００３５】
（本発明に係る他の実施形態）
前述した本発明の実施形態における記録装置を構成する各手段、並びに記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３６】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００３７】
なお、本発明は、前述した実施形態の機能を実現するソフトウェアのプログラム（実施形態では図３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００３８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００３９】
その場合、プログラムの機能を有していれば、オブジェクトコード、インタプリタにより実行されるプログラム、ＯＳに供給するスクリプトデータ等の形態であってもよい。
【００４０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００４１】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００４４】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００４５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４６】
【図１】本発明の実施形態を示し、記録装置の構成例を説明するブロック図である。
【図２】実施形態の記録装置の詳細を説明するためのブロック図である。
【図３】実施形態の記録装置の動作手順の一例を説明するフローチャートである。
【符号の説明】
【００４７】
１０１  撮像素子
１０２  カメラ信号処理回路
１０３  動画像符号化回路
１０４  多重化回路
１０５  メモリ
１０６  記録再生回路
１０７  記録媒体
１０８  マイク
１０９  音声符号化回路
１１０  制御回路
１１１  操作スイッチ
２０１  入力端子
２０２  記録回路
２０３  ピックアップ
２０４  再生回路
２０５  記録再生制御回路
２０６  シーク制御回路
２０７  シーク機構
２０８  回転制御回路
２０９  スピンドル機構
２１０  入出力端子
【図１】
2007299458.tif 000003
【図２】
2007299458.tif 000004
【図３】
2007299458.tif 000005